(57)【要約】【課題】犯人の体に押し当てることにより身体の自由を奪うことが可能であるばかりでなく、刺股を切断しようとする刃物を奪うことができる刺股を提供する。【解決手段】使用者によって把持される棒体１０と、棒体１０の先端に設けられた枠体２０とを備え、枠体２０は、外枠２１と、外枠２１内を複数の区画２１ａに区切る仕切部２２とを備え、枠体２０の前面に設けられる前面側粘着層２３と、枠体２０の背部に設けられて、背部を覆う防刃布２４と、この防刃布２４と枠体２０との間に設けられる背面側粘着層２５とを備える。【選択図】図１
2020190373.tif 000002
【特許請求の範囲】
【請求項１】
使用者によって把持される棒体（１０）と、この棒体（１０）の先端（１１）に設けられた枠体（２０）とを備えた刺股であって、
前記枠体（２０）は、外枠（２１）と、この外枠（２１）内を複数の区画（２１ａ）に区切る仕切部（２２）とを備え、
前記枠体（２０）の前面（２０ｆ）に設けられる前面側粘着層（２３）と、
前記枠体（２０）の背部（２０ｒ）に設けられて、該背部（２０ｒ）を覆う防刃布（２４）と、
この防刃布（２４）と前記枠体（２０）との間に設けられる背面側粘着層（２５）と、
を備えることを特徴とする刺股。
【請求項２】
請求項１において、
前記仕切部（２２）は、外枠（２１）内を放射状に仕切る第１仕切部（２２ｂ）と、外枠（２１）内を周方向において仕切る第２仕切部（２２ｃ）とを有していることを特徴とする刺股。
【請求項３】
請求項１または２において、
前記枠体（２０）は前記棒体（１０）の先端（１１）に対して着脱可能に取り付けられていることを特徴とする刺股。
【発明の詳細な説明】
【技術分野】
【０００１】
本発明は、刺股に関するものである。より詳しくは、使用者によって把持される棒体と、この棒体の先端に設けられた枠体とを備えた刺股（捕具）に関するものである。
【背景技術】
【０００２】
従来、例えば特許文献１の要約に記載されているように、「犯人の体に押し当てるだけで身体の自由を奪うこと」を目的とし、「把手２の前部に設けた基部３に、先端側の幅が広くなる二枚の支持体４，４を軸棒５，５で可動軸止して成る前記支持体４，４の前端部に、強力な粘着剤６を施した面につまみ９付き剥離紙１０を備えた粘着シ−ト７を掛け渡すように取り付けた粘着型の刺股１」が知られている。
【０００３】
この刺股によれば、犯人の体に押し当てることにより身体の自由を奪うことが可能であると思われる。
【０００４】
しかしこの刺股は、例えば同文献図４に見られるように犯人が刃物を持っていて、刃物で、粘着シート７を切断しようとした場合の対処については考慮されていない。
【０００５】
同文献００１３段落の末部には、「さらに、仮に粘着シ−ト７を刃物で切断された場合でも、二股状の支持体４，４によって従来の刺股と同様の防御効果を得ることが可能な刺股１である。」と記載されているが、この記述は、粘着シート７が切断されてしまった後の防御効果についての記述であり、粘着シート７を切断しようとした場合の対処については必ずしも考慮されていない。
【０００６】
【先行技術文献】
【特許文献】
【０００７】
【特許文献１】特開２００６−２９２３４５号公報
【発明の概要】
【発明が解決しようとする課題】
【０００８】
本発明が解決しようとする課題は、犯人の体に押し当てることにより身体の自由を奪うことが可能であるばかりでなく、刺股を切断しようとする刃物を奪うことができる刺股を提供することである。
【課題を解決するための手段】
【０００９】
上記課題を解決するために本発明の刺股は、
使用者によって把持される棒体と、この棒体の先端に設けられた枠体とを備えた刺股であって、
前記枠体は、外枠と、この外枠内を複数の区画に区切る仕切部とを備え、
前記枠体の前面に設けられる前面側粘着層と、
前記枠体の背部に設けられて、該背部を覆う防刃布と、
この防刃布と前記枠体との間に設けられる背面側粘着層と、
を備えることを特徴とする。
【００１０】
この刺股は、使用者によって把持される棒体と、この棒体の先端に設けられた枠体とを備え、枠体の前面には前面側粘着層が設けられているので、使用者は、棒体を持ち、枠体および前面側粘着層を犯人に押し付けることで、犯人の自由を奪うことができる。
【００１１】
また、枠体は、外枠と、この外枠内を複数の区画に区切る仕切部とを備え、
枠体の前面には前面側粘着層が設けられ、
枠体の背部には、該背部を覆う防刃布が設けられるとともに、この防刃布と枠体との間には背面側粘着層が設けられているので、
例えば、犯人が枠体前面の粘着層を切断しようとして刃物を枠体に突き刺した場合、刃物は、その先端が防刃布にあたって突抜が阻止されるとともに、枠体に刺さった部位は前面側粘着層と背面側粘着層とで接着ないし吸着されて抜けにくくなる。
そこで、使用者が棒体および枠体を回動させると、枠体に刺さった部位が仕切部に当接することで刃物および犯人の手首が捻られ、犯人から刃物を奪うことが可能となる。
【００１２】
以上のように、本発明の刺股によれば、棒体を持って枠体を犯人の体に押し当てることにより身体の自由を奪うことが可能であるばかりでなく、刺股を切断しようとする刃物を奪うことが可能となる。
【００１３】
この刺股においては、
前記仕切部は、外枠内を放射状に仕切る第１仕切部と、外枠内を周方向において仕切る第２仕切部とを有している構成とすることができる。
このように構成すると、外枠内をバランス良く区画できるとともに、枠体を効率よく補強することができる。
【００１４】
この刺股においては、
前記枠体は前記棒体の先端に対して着脱可能に取り付けられている構成とすることができる。
このように構成すると、枠体を取り替えて再利用することができる。
【図面の簡単な説明】
【００１５】
【図１】本発明に係る刺股の実施の形態を示す図で、（ａ）は正面図、（ｂ）は図（ａ）におけるｂ−ｂ断面図、（ｃ）は枠体２０の枠組みを示す正面図。
【図２】（ａ）は図１（ｂ）の部分拡大図、（ｂ）（ｃ）はそれぞれ図（ａ）の部分拡大図。
【図３】作用説明図。
【図４】枠体２０の断面図。
【図５】変形例を示す部分切断側面図。
【発明を実施するための形態】
【００１６】
以下、本発明に係る刺股の実施の形態について図面を参照して説明する。なお、各図において、同一部分ないし相当する部分には、同一の符号を付してある。
【００１７】
図１に示す刺股１は、使用者によって把持される棒体１０と、この棒体１０の先端１１に設けられた枠体２０とを備えている。
【００１８】
主として図１（ｃ）および図２に示すように、枠体２０は、外枠２１と、この外枠２１内を複数の区画２１ａに区切る仕切部２２とを備えている。
【００１９】
そして、この刺股１は、
枠体２０の前面２０ｆに設けられる前面側粘着層２３と、
枠体２０の背部２０ｒに設けられて、該背部２０ｒを覆う防刃布２４と、
この防刃布２４と前記枠体２０との間に設けられる背面側粘着層２５と、
を備えている。
【００２０】
この刺股１は、使用者によって把持される棒体１０と、この棒体１０の先端１１に設けられた枠体２０とを備え、枠体２０の前面２０ｆには前面側粘着層２３が設けられているので、使用者は、棒体１０を持ち、枠体２０および前面側粘着層２３を犯人に押し付けることで、犯人の自由を奪うことができる。枠体２０および前面側粘着層２３を犯人の顔にくっつけて犯人の視野を奪うこともできる。また、枠体２０および前面側粘着層２３を犯人が持っている鈍器や刃物に押し付け、くっつけて奪うことも可能である。
【００２１】
枠体２０は、外枠２１と、この外枠２１内を複数の区画２１ａに区切る仕切部２２とを備え、
枠体２０の前面２０ｆには前面側粘着層２３が設けられ、
枠体２０の背部２０ｒには、該背部２０ｒを覆う防刃布２４が設けられるとともに、この防刃布２４と枠体２０との間には背面側粘着層２５が設けられているので、
例えば、犯人が枠体２０の前面２０ｆの粘着層２３を切断しようとして、例えば図３に示すように、刃物２を枠体２０に突き刺した場合、刃物２は、その先端２ｃが防刃布２４にあたって突き抜けが阻止されるとともに、枠体２０に刺さった部位２ｂは前面側粘着層２３と背面側粘着層２５とで接着ないし吸着されて枠体２０から抜けにくくなる。
【００２２】
そこで、使用者が棒体１０および枠体２０を、例えば図１，図３に矢印Ｒで示すように回動させると、枠体２０に刺さった部位２０ｂが仕切部２２に当接することで刃物２および犯人の手首が捻られ、犯人から刃物２を奪うことが可能となる。
【００２３】
以上のように、この実施の形態の刺股１によれば、棒体１０を持って枠体２０を犯人の体に押し当てることにより犯人の身体の自由を奪うことが可能であるばかりでなく、刺股１を切断しようとする刃物２を奪うことが可能となる。
【００２４】
図１（ｃ）および図２に示すように、仕切部２２は、外枠２１内を放射状に仕切る第１仕切部２２ｂと、外枠２１内を周方向において仕切る第２仕切部２２ｃとを有している。
【００２５】
このように構成すると、外枠２１内をバランス良く区画できるとともに、枠体２０を効率よく補強することができる。
【００２６】
枠体２０は棒体１０の先端１１に対して着脱可能に取り付けられている。
このように構成すると、枠体２０を取り替えて再利用することが可能となる。
【００２７】
棒体１０は、公知の適宜の材料、例えばアルミパイプで構成することができる。
棒体１０には、摩擦係数の高いゴム又は合成樹脂、木材、その他からなる太経のグリップ部１２（図１）を設けることが望ましい。
【００２８】
枠体２０は、公知の適宜の材料、例えばアルミパイプで構成することができる。外枠２１と、仕切部２２との接合部Ｂおよび第１仕切部２２ｂと第２仕切部２２ｃとの接合部Ｂは、それぞれ適宜の固着手段（例えば溶接）で固着する。
【００２９】
図示の枠体２０は、円柱状の基部２６の先端にフランジ部２６ｆを設け、このフランジ部２６ｆと外枠２１とを放射状の第１仕切部２２ｂで連結している。
【００３０】
前面側粘着層２３は、図１（ａ）に示すように適宜の材料からなる正面視円形の基材シート２３ｂ（図２（ｂ））の表面に前面側粘着層２３を形成し、基材シート２３ｂの裏面に接着層２３ｃを形成し、この接着層２３ｃを枠体２０の表面（この場合、フランジ部２６ｆの表面、外枠２１の表面および第１仕切部２２ｂの表面）に接着することで、枠体２０の前面２０ｆに設けられている。前面側粘着層２３、接着層２３ｃは、それぞれ粘着力の強い粘着剤で構成する。
【００３１】
防刃布２４および背面側粘着層２５は、例えば、図２（ａ）（ｃ）に示すように、中央に穴２４ｈを有する背面視円形の防刃布２４の表面（枠体２０側）に背面側粘着層２５を形成し、この背面側粘着層２５を枠体２０の背面（この場合、フランジ部２６ｆの背面、外枠２１の背面、および第２仕切部２２ｃの背面）に接着することで、枠体２０の背面２０ｒに設けられている。防刃布２４は公知の防刃布を採用する。背面側粘着層２５は粘着力の強い粘着剤で構成する。
【００３２】
枠体２０を棒体１０の先端１１に対して着脱可能とする構成は、公知の適宜の構成を採用することができる。
図２（ａ）に示すように、この実施の形態では、棒体１０の先端部１１と、この先端部１１に挿入される枠体２０の基部２６とに、それぞれボルト挿通穴Ｈを設け、この穴Ｈに挿入されるボルト２７ｂとナット２７ｎとで、枠体２０を棒体１０の先端１１に対して着脱可能に固定している。
【００３３】
以上、本発明の実施の形態について説明したが、本発明は上記の実施の形態に限定されるものではなく、本発明の要旨の範囲内において適宜変形実施可能である。
例えば、
【００３４】
図示の枠体２０の基部２６は円柱状としたが、パイプ状としても良い。
【００３５】
図５に示すように、枠体２０は、前面中央部２０ｍが少し凹んだ凹形状としてもよい。
このように構成すると、犯人を押し付けやすくなる。
【符号の説明】
【００３６】
１：    刺股
１０：    棒体
１１：    先端
２０：    枠体
２１：    外枠
２２：    仕切部
２２ｂ：  第１仕切部
２２ｃ：  第２仕切部
２３：    前面側粘着層
２４：    防刃布
２５：    背面側粘着層
【図１】
2020190373.tif 000003
【図２】
2020190373.tif 000004
【図３】
2020190373.tif 000005
【図４】
2020190373.tif 000006
【図５】
2020190373.tif 000007